(57)【要約】      （修正有）【課題】発光ダイオード及び発光システムの正確な角度及び方向への位置決めを行う装置を提供する。【解決手段】ＬＥＤコンポーネント１００は、発光領域１２０を持つベースボディ１１０、第１及び第２のコネクタを有する。コネクタは、発光領域１２０と導電可能に接続され、ベースボディ１１０は４つの取り付け領域１１２を有し、表面実装のために構成された屈曲部１３４、１４４及び接触区域を具備する屈曲部１３４、１４４は、ベースボディ１１０と接触区域との間に配置される。支持フレーム２００は、台座領域２１０と、中のコンポーネントを受け入れるよう構成された支持領域２２０と、支持領域２２０の上にコンポーネントを取り付けるよう構成された少なくとも２つの固定エレメント２３０とを有する。台座領域２１０のベース区域と、支持領域２２０のベース区域と、は鋭角を成す。台座領域２１０は、外側に開放された窪み２１２を具備する。【選択図】図３
2020064872.tif 000002
【特許請求の範囲】
【請求項１】
ａ）発光領域（１２０）を有するベースボディ（１１０）と、第１のコネクタ（１３０）と、第２のコネクタ（１４０）と、を具備し、前記コネクタ（１３０，１４０）は、前記発光領域（１２０）と導電可能に接続され、前記ベースボディ（１１０）は、少なくとも２つの取り付け領域（１１２）を具備し、前記コネクタ（１３０，１４０）はそれぞれ、表面実装のために構成された、屈曲部（１３４，１４４）及び接触区域（１３２，１４２）を具備し、前記屈曲部（１３４，１４４）はそれぞれ、前記ベースボディ（１１０）と前記接触区域（１３２，１４２）との間に配置されることを特徴とする、ＬＥＤコンポーネント（１００）と、
ｂ）支持フレーム（２００）を表面に整列させるように構成された台座領域（２１０）と、前記支持フレーム（２００）にコンポーネントを受け入れるよう構成された支持領域（２２０）と、前記支持領域（２２０）の上に前記コンポーネントを固定するよう構成された少なくとも２つの固定エレメント（２３０）と、を具備し、前記台座領域（２１０）のベース区域と前記支持領域（２２０）のベース区域とは、鋭角をなし、前記台座領域（２１０）は、外側に開かれた窪み（２１２）を具備することを特徴とする、コンポーネントの支持フレーム （２００）と、
ｃ）回路キャリア（３００）と、
を具備し、
ｄ）前記ＬＥＤコンポーネント（１００）のベースボディ（１１０）は、前記支持フレーム（２００）の支持領域（２２０）に乗っており、
ｅ）前記ＬＥＤコンポーネント（１００）のベースボディ（１１０）の前記取り付け領域（１１２）は、前記支持フレーム（２００）の固定エレメント（２３０）により支持領域（２２０）上に固定され、
ｆ）前記ＬＥＤコンポーネント（１００）のコネクタ（１３０，１４０）は、少なくとも一部は、前記支持フレーム（２００）の台座領域（２１０）の窪み（２１２）内に取り付けられ、
ｇ）前記ＬＥＤコンポーネント（１００）及び前記支持フレーム（２００）は、前記回路キャリア（３００）に取り付けられることを特徴とする、
発光システム。
【請求項２】
前記回路キャリア（３００）は、複数のＬＥＤコンポーネント（１００）と支持フレーム（２００）とを具備し、前記ＬＥＤコンポーネント（１００）は、前記回路キャリア（３００）に異なる配列で異なる３Ｄ位置に設置され、前記台座領域（２１０）のベース区域と、前記個々の支持フレーム（２００）の支持領域（２２０）とは、異なる角度αを成すことを特徴とする、請求項１に記載のシステム。
【請求項３】
前記回路キャリア（３００）は湾曲していることを特徴とする請求項１に記載のシステム。
【請求項４】
前記ＬＥＤコンポーネント（１００）のコネクタ（１３０，１４０）は、前記支持フレーム（２００）の支持領域（２２０）の外側端部の周りに折り曲げられ、前記端部は、前記支持フレーム（２００）の内部に位置し、前記コネクタ（１３０，１４０）は、前記端部と前記支持フレーム（２００）の外側端部との間に挿入されることを特徴とする、請求項１に記載のシステム。
【発明の詳細な説明】
【技術分野】
【０００１】
本発明は発光装置及び発光システムに関する。とりわけ、本発明は、発光ダイオード（
ＬＥＤ）及びそれに対応する発光システムの正確な角度及び方向への位置決めを行うため
の装置に関する。
【背景技術】
【０００２】
発光ダイオード‐ＬＥＤ‐は複数の応用分野ですでに用いられており、結果として、昔
ながらの照明装置や信号装置をどんどん置き換えている。特に、他の灯具に比べて高効率
で長寿命のＬＥＤは自動車産業にとって明らかに好都合である。ＬＥＤはまた湾曲した面
に非常に高密度で配置することができるので、湾曲した形状の空間的に平面的に広がる光
源を造るために用いることができる。
【０００３】
ＬＥＤは、一般に狭いビーム角度（放射開口角）で光を放射するので、ＬＥＤからの一
様なビーム方向を達成するためには、個々のＬＥＤの取り付け角度が局所的な湾曲に対応
できるようにすることが好ましい。目標とされるやり方で個々の角度範囲で照射するため
には、表面の湾曲とは独立して、取り付ける角度を変化させることが必要となる。
【０００４】
複雑な照明が、特に自動車の照明の内部についての解決手段として、最近、（回路キャ
リアとしての）フレックスボード及び（支持エレメントとしての）必要な３Ｄプリント回
路基板キャリア上にＬＥＤを設置することで製造されている。代替的に、金属サポートに
ＬＥＤを溶接するか又は、スルーホール技術‐ＴＨＴ‐、「ピン・イン・ホール技術」‐
ＰＩＨ‐によりＬＥＤを挿入してはんだ付けする。結果として、そのようなシステムに必
要な製造費用及び製造原価は著しく増大する。
【０００５】
ビーム方向を変化させることのできるＬＥＤベースの照明システムは、例えば、ＷＯ２
０１２／１５９７４４Ａ２及びＤＥ１０  ２０１１  １１０  ５８０Ａ１により、既知で
ある。角度調整可能なＬＥＤ支持エレメントは、例えば、ＵＳ７，８９７，８８３Ｂ２、
ＤＥ１０  ２０１３  １１３  ００９Ａ１、ＥＰ２９３８１７０Ａ１、及び、ＵＳ２０１
３/０１０７４９７Ａ１に開示されている。これらの照明システムにおいて、いずれの場
合も、支持エレメントによりＬＥＤは電気的に接触しており、この支持エレメントは、回
路キャリアの上で特定の角度で支持エレメントに固定されたＬＥＤを整列させ、同時に、
回路キャリア上の回路とＬＥＤとの電気的接触を容易にするよう構成されている。従って
、少なくとも２つの電気的接触点（回路と支持エレメントとの間、及び、支持エレメント
とＬＥＤとの間）が、各コネクタについて構成され、機能、信頼性、及び耐久性について
の標準的な必要条件がこれら各ポイントに課せられる。これはまた、このようなシステム
に必要な製造費用及び製造原価を増大させる結果となる。
【発明の概要】
【０００６】
従って、高価な製造方法を使わずそして複雑な組み立て工程を回避し、ＬＥＤベースの
照明システム内でＬＥＤのビーム方向を調整することを可能にすることが、本発明の目的
である。特に、適切な製造方法は、標準的なＳＭＴ組み立て工程（ＳＭＴ＝表面実装技術
）と互換性を持たせるべきである。
【０００７】
これらの目的は、本発明の請求項１、５、及び８の特徴的手段により達成される。本発
明の便宜的な実施形態は、それぞれの従属項に含まれる。
【０００８】
本発明のＬＥＤコンポーネントは、発光領域を持つベースボディと、第１のコネクタと
第２のコネクタとを有し、前記コネクタは、前記発光領域と電気的に接続され、前記ベー
スボディは少なくとも２つの取り付け領域を具備し、前記コネクタはそれぞれ表面実装す
るよう構成された屈曲部及び接触区域を具備し、前記屈曲部はそれぞれ前記ベースボディ
と前記接触区域との間に配列されていることを特徴とする。
【０００９】
前記発光領域は、特に面発光型ＬＥＤの表面又は端面放射型ＬＥＤの端面である。前記
ベースボディは、前記発光領域のハウジング又はクラッディングとして構成されることが
好ましい。前記ベースボディの１つの目的は、外部環境からの影響及び干渉から発光領域
を保護することである。前記ベースボディは、前記発光領域から放射された光を逃がすよ
うにすることができることが好ましい。この目的のため、前記ベースボディは、特に、開
口を具備するか、又は前記発光領域の領域中の発光領域から放射される光に対して透明で
あるようにできる。
【００１０】
前記発光領域を電気的に励起させるために、本発明のＬＥＤコンポーネントは第１の電
気伝導性のあるコネクタと第２の電気伝導性のあるコネクタとを有し、前記コネクタは電
気的に前記発光領域と接続される。ＬＥＤコンポーネントは、光を放射するために前記コ
ネクタにより励起することができる。前記コネクタは、細板型の外部形状を持つことが好
ましい。前記コネクタは、特に、細板型の電線として構成されることが好ましい。
【００１１】
前記ベースボディは少なくとも２つの取り付け領域を具備し、取り付け領域とは、構造
的特徴により、前記ベースボディを取り付け位置で機械的にしっかりと容易に固定するこ
とができるよう構成されている、前記ベースボディの表面に構成された空間的領域を示す
ために用いる用語である。取り付け領域は、例えば、ピンまたはボルトを取り付ける前記
ベースボディ中の貫通穴、又は、ブラケット取り付けのための細長い溝、又はハンダによ
り取り付けるためのハンダ接合とすることができる。
【００１２】
前記取り付け領域は、ベースボディの表面にある窪みによる段差内に構成されることが
特に好ましい。この場合、「段差内」とは、取り付け領域を、ベースボディ表面の内側の
２つの段差面により特別に構成することができることを意味し、第１の段差面はベースボ
ディの垂直軸に沿った第１のレベルに位置し、第２の段差面はベースボディの垂直軸に沿
った、第１のレベルより大きな第２のレベルに位置する。
【００１３】
前記コネクタはそれぞれ表面実装のために構成された屈曲部及び接触区域を持ち、前記
屈曲部はそれぞれ前記ベースボディと前記接触区域との間に配置される。接触区域は、（
例えば「リフロー」工程による）ＳＭＴ表面実装のために構成された面領域であることが
好ましい。特に前記接触区域は、ＳＭＴハンダ接続として構成することができる。
【００１４】
前記屈曲部は、前記接触区域の空間的方向に関して前記ベースボディを容易に傾けるこ
とができるよう構成される。前記屈曲部は、前記コネクタの厚みを局部的に減少させ、そ
れによりコネクタの屈曲部を「公称屈曲ポイント」としての特定の部分に限定させるため
の、曲げ方向を横切る連続的な切り欠きを具備することが好ましい。前記接触区域は、Ｓ
ＭＴ工程により、適当な支持材（例えば、回路キャリア）に平面上に空間的に固定するこ
とで取り付けることができることが好ましく、一方、前記屈曲部は、自由に移動可能（即
ち、前記支持材に固定されていない）で、接続された前記ベースボディもまた、前記支持
材に対して曲げることで位置を変化させることができる。前記屈曲部は、少なくとも、設
定した曲げ角度が、時間的に及び空間的方向に関しても安定的に保持されるように、（例
えば厚さ、素材、及び／又は形状に関して）構成されることが好ましい。
【００１５】
前記ベースボディは、四角い断面を具備することが好ましい。これは特に好ましい断面
であり、断面が前記発光領域の表面に平行となる。特に、前記ベースボディは、実質的に
四角形又は直方体にすることができる。
【００１６】
周期的に構成された階段状の４つの取り付け領域により、前記ベースボディの外側端部
を有する前記発光領域の八角形の縁を構成することが好ましい。この場合、周期的とは、
前記階段状の取り付け領域の相互の距離が同じであることを意味する。前記発光領域の八
角形の一様な縁とすることが特に好ましい。
【００１７】
コンポーネントの発明による支持フレームは、前記支持フレームを表面に整列させるよ
うに構成された台座領域と、前記支持フレームに前記コンポーネントを受け入れるよう構
成された支持領域と、前記支持領域の上に前記コンポーネントを固定するよう構成された
少なくとも２つの固定エレメントと、を有し、前記台座領域のベース区域と前記支持領域
のベース区域とは、鋭角をなし、前記台座領域は外側に開かれた窪みを具備することを特
徴とする。
【００１８】
前記台座領域は、支持領域又は据え付け領域であることが好ましい。この支持領域又は
据え付け領域は、特に、平面的な構成を有することができる。前記台座領域はまた、曲が
った（即ち、球形の）表面上に取り付けるために適切な曲面を具備することもできる。前
記台座領域は、ガタつきや遊びのないように前記支持フレームを表面に取り付けさせるこ
とができるように、前記台座領域を構成することが特に好ましい。前記台座領域は、３個
又は４個の個々のベースエレメント（脚）で構成されることが好ましい。
【００１９】
前記支持領域は、その形状から、前記支持フレームにコンポーネントをガタつきや遊び
のないように受け入れることが可能なようになっており、支持フレームの一部をなす。こ
の目的のために、前記支持領域は、前記支持領域に接触するコンポーネントのその部分の
表面の形に適合することが好ましい。前記支持領域は、平面的構造を持つことが好ましい
。
【００２０】
前記コンポーネントは、本発明によるＬＥＤコンポーネントであることが好ましい。
【００２１】
本発明による支持フレームは、前記コンポーネントを前記支持領域の上に取り付けるよ
う構成された少なくとも２つの固定エレメントを有する。固定エレメントは、（例えば、
補助開口又は支持機能を含む）保持エレメントとして構成される、前記支持フレームの領
域とするようにできることが好ましい。クランプエレメントは自己保持型圧力クランプで
あることが好ましい。これは、クランプエレメントは、圧力を加えたときその形によりク
ランプ機構を自動的に開放し、（対応するかみ合い部の中で）特定の開放位置に到達する
と、弾性力によりクランプ位置に戻り、前記エレメントをつかむ圧力を加える（スナップ
クリップとも呼ばれる）ことを意味する。
【００２２】
前記台座領域のベース区域と前記支持領域のベース区域とは、鋭角で囲むことが好まし
い。この場合、用語「囲む」とは、前記支持エレメントに鋭角で向かい合うことを意味す
る。用語「鋭角」とは、０°と９０°との間の角度を意味する。前記角度は１０°以上が
好ましく、２０°以上がもっと好ましく、３０°以上がさらに好ましい。同様に、前記角
度は８０°未満が好ましく、７０°未満がもっと好ましく、６０°未満がさらに好ましい
。
【００２３】
前記台座領域の外側に開いた窪みは、前記支持フレームの台座の区域内にある自由な容
積である。前記窪みは、例えば、固形の台座領域の内部に自由な空間をなす。この場合「
外側に開いた窪み」とは、前記台座領域の表面に構成された（例えば、前記台座領域内の
空洞ではない）窪みを意味し、前記台座領域の窪みは、支えエレメントの外面から直接近
づくことができる。前記台座領域が個々のベースエレメントで構成される場合、前記窪み
は、前記個々のベースエレメントの間に位置する自由空間により画定される。
【００２４】
前記固定エレメントは、前記支持領域の上の前記支持フレームの支持領域を少なくとも
部分的に取り囲む側方面取り部を具備することが好ましい。この場合、「取り囲む」とは
、それぞれ平らなエレメントを構成する個々の面取り部を意味し、前記平らなエレメント
は、それぞれ、前記支持領域のベース区域に垂直に位置し、前記平らなエレメントは（少
なくとも３つが）一緒になって、少なくとも釣り合いをとって前記支持領域のベース区域
を囲む、囲まれた領域を画定する。
【００２５】
本発明の発光システムは、本発明によるＬＥＤコンポーネントと、本発明による支持フ
レームと、回路キャリアとを有し、前記ＬＥＤコンポーネントのベースボディは、前記支
持フレームの支持領域に乗っており、前記ＬＥＤコンポーネントのベースボディは、前記
支持フレームの固定エレメントにより前記取り付け領域の支持領域上に固定され、前記Ｌ
ＥＤコンポーネントのコネクタは、少なくとも一部は、前記支持フレームの台座領域の窪
み内に取り付けられ、前記ＬＥＤコンポーネント及び前記支持フレームは、前記回路キャ
リアに取り付けられることを特徴とする。
【００２６】
本発明の発光システムは、このようにして、対応する回路キャリアについての発明によ
る支持フレームの発明に基づくＬＥＤコンポーネントからなる装置を構成する。前記回路
キャリアは、回路キャリアに配置された電気回路装置を有する支持ボディ（プリント回路
基板）であることが好ましい。ＬＥＤコンポーネントのベースボディは、（少なくとも部
分的に）前記支持フレームの支持領域に置かれる。
【００２７】
前記ＬＥＤコンポーネントのベースボディは、前記支持フレームの前記固定エレメント
により、前記取り付け領域の領域で前記支持領域の上に取り付けられる。即ち、前記支持
フレームの固定エレメントは、前記支持フレーム内の固定位置で前記ＬＥＤコンポーネン
トが支えられるように、前記ベースボディの取り付け領域と相互作用する。
【００２８】
さらに、前記ＬＥＤコンポーネントのコネクタは、前記支持フレームの台座領域中の窪
みの内側に少なくとも部分的に配置される。特に、前記支持フレームの台座領域内に配置
されたコネクタ部は前記台座領域から突き出ておらず、完全に前記台座領域内に収納され
るようにすることが好ましい。前記支持フレームの台座領域の窪み内部に配置された前記
ＬＥＤコンポーネントのコネクタ部は、前記コネクタの接触区域を有する部分であること
が好ましい。前記コネクタの接触区域は、前記支持フレームの台座領域の内側に配置され
ることが特に好ましい。前記コネクタの接触区域は、前記台座領域の下から前記支持フレ
ームの台座領域の窪みを通ってアクセス可能とすることが好ましい。
【００２９】
前記回路キャリアは複数のＬＥＤコンポーネント及び支持フレームを具備することが好
ましく、前記ＬＥＤコンポーネントは、異なる向きに異なる３Ｄ位置で前記回路キャリア
上に配置され、前記個々の支持フレームの、前記台座領域のベース区域と前記支持領域の
ベース区域とは、異なる角度で囲まれる。
【００３０】
この場合、「ＬＥＤコンポーネントの異なる３Ｄ位置」とは、お互いの間隔（２Ｄ）の
みならず特定の面（例えば、回路キャリアの表面）からの高さ（１Ｄ）において異なる位
置に、個々のＬＥＤコンポーネントを配置することができることを意味する。前記支持エ
レメントの高さを変化させることにより、前記ＬＥＤコンポーネントの高さを変化させる
ことができるようにすることが好ましい。単一のＬＥＤコンポーネントの発光領域から放
射される光の向き（即ち前記ＬＥＤコンポーネントの主ビームの向き）が、前記「方向」
を表す。特に、ＬＥＤコンポーネントの異なる方向は、前記回路キャリアの表面上のＬＥ
Ｄコンポーネントを回転することにより定めることができる。
【００３１】
前記個々の支持フレームの、前記台座領域のベース区域と前記支持領域のベース区域と
は、異なる角度を成すことが好ましい。結果として、個々のＬＥＤコンポーネントの発光
領域から放射される光の角度は、特に、前記支持フレームにＬＥＤコンポーネントが配置
される場合、回路キャリアの面に対して変化させることができる。
【００３２】
前記回路キャリアは平面的構成が好ましい。代替的な好ましい実施形態では、前記回路
キャリアは、湾曲させることができる。湾曲した回路キャリアは、ランダムに複数方向に
曲がった自由な形状のエレメントとすることができる。回路キャリアは、特に、硬い（即
ち、機械的に安定した）支持ボディ（例えば、堅固な形状を有するプリント回路基板）で
あることが好ましい。
【００３３】
本発明の概念は、特に、手の込んだ製造方法やランプ内のプリント回路基板の複雑な組
み立て工程を用いることなく、発光体のビーム方向を調整することができることである。
本発明のシステムは、標準的なＳＭＴ組み立て工程で、本発明による支持フレームと組み
合わせた本発明によるＬＥＤコンポーネントを用いることで、提供することができる。半
発明によるＬＥＤコンポーネントと本発明による支持フレームとの組み合わせはまた、Ｖ
ＡＭ・ＬＥＤ（角度可変マウンティッド発光ダイオード）と表示される。
【００３４】
ＶＡＭ・ＬＥＤは、直接回路キャリア、例えば回路基板、プリント回路カード、又はプ
リント回路基板（ＰＣＢ）、に配置し「リフロー」オーブンではんだ付けすることができ
る。ＶＡＭ・ＬＥＤにより、１つの平面キャリア上で色々なビーム方向を実現することが
できる。さもなければ必要とされた複数のＰＣＢの標準的な組み合わせ及びそれに関連す
る配置及び組み立てがもはや必要ではなくなる。同じ原理を、３次元ホルダー上でのフレ
ックスＰＣＢの代替的な使用に用いることができる。複数のＬＥＤに配線されている場合
、異なるビーム方向となるようにすることを、標準的な取り付け工程又は据え付け工程に
おいてではなく、コンポーネントレベル（即ち、「準備作業」工程で）実現することがで
きる。この場合、ＶＡＭ・ＬＥＤは、組み立て工程及び取り付け工程を追加することなく
、従来のＳＭＴ「リフロー」工程ではんだ付けすることができる。
【００３５】
ＶＡＭ・ＬＥＤの場合において、前記台座領域のベース区域と前記支持領域のベース区
域との間の角度を変えることにより実現することができる、本発明によるＬＥＤコンポー
ネント及び本発明による支持フレームはモジュラーコンセプトに従い結合される。これに
より、ビームの方向を変化させることが可能となる。本発明による支持フレームは、従っ
て、単に機械的機能を持つ。この目的を達成するために、本発明によるＬＥＤコンポーネ
ントは、接触区域にて、プリント回路基板（即ち、回路キャリア）にはんだ付けする際に
回路と電気的に直接接触させることが好ましい。従って、本発明によるＬＥＤコンポーネ
ントを用いて、ＶＡＭ・ＬＥＤの熱的接続及び電気的接続だけを達成する。ＬＥＤコンポ
ーネントと支持フレームとを結合した結果として、発光体が機械的に固定された位置にも
たらされ、従って、位置とビームの方向が明確に固定される。本発明による発光システム
の場合は、個々のエレメントのビーム方向が、実質的にどのような方向にも対応すること
ができる。
【００３６】
本発明による支持フレームは、導電性のない材料で構成されるのが好ましい。好ましい
材料は、ＰＯＭ、ＰＥＴ、及び、ＰＴＦＥである。本発明による支持フレームは、もっぱ
ら機能的エレメントとして使用しなければならないわけではなく、前記支持フレームの材
料を選択することにより、デザインエレメント（いわゆる「視覚的」デザイン）として用
いることもできる。本発明による支持フレームは、耐熱性素材で構成されるのが好ましい
。実質的に１９０°Ｃまで許容できる素材、好ましくは２７０°Ｃまで、さらに好ましく
は３５０°Ｃまで許容できる素材が好ましい。
【００３７】
本発明による支持フレームは、硬いベースボディを形成することが好ましく、即ち、支
持フレームは、実質的に機械的に不変の外形を有する。特に、本発明による支持フレーム
は、ねじれに対して抵抗力があり、圧力の影響を受けず、温度（一般的なはんだ付け工程
における温度）に対して安定であることが好ましい。特に、このことで、回路キャリアに
ついての本発明による支持フレーム（又は他の支持面）の向きの安定性のみならず、本発
明による支持フレームの内側の発明によるＬＥＤコンポーネントのしっかりした設置（即
ち、取り付け）がもたらされる。
【００３８】
本発明の他の特徴には、発光装置を組み立てる方法が含まれ、前記方法は、本発明によ
るＬＥＤコンポーネント及び本発明による支持フレームを用意するステップと、前記支持
フレームに前記ＬＥＤコンポーネントを取り付けるステップであって、前記ＬＥＤコンポ
ーネントのベースボディは、前記支持フレームの支持領域上に、前記支持フレームの固定
エレメントにより取り付け領域で取り付けられることを特徴とする、ステップと、前記Ｌ
ＥＤコンポーネントのコネクタを曲げるステップであって、前記コネクタは、前記支持フ
レームの台座領域の窪み内に（好ましくは完全に）配置されることを特徴とする、ステッ
プと、を具備する。
【００３９】
この方法は、回路キャリアを用意するステップと、前記回路キャリア上の支持フレーム
に取り付けられたＬＥＤコンポーネントのコネクタを整列させるステップであって、前記
支持フレームの支持領域は前記回路キャリア上にあることを特徴とする、ステップと、Ｓ
ＭＴ工程により、前記回路キャリア上にある前記支持フレーム中に取り付けられた前記Ｌ
ＥＤコンポーネントのコネクタに接続するステップと、を含むことができることが好まし
い。
【００４０】
この方法の場合、支持フレームに取り付けられた複数のＬＥＤコンポーネントは、異な
る３Ｄ位置で異なる方向を持たせて前記回路キャリアに取り付けることが好ましく、前記
台座領域のベース区域と前記個々の支持フレームの支持領域のベース区域とは異なる角度
をなす。
【図面の簡単な説明】
【００４１】
以下、添付図を参照して具体的な実施例に基づき本発明について説明する。
【図１】本発明によるＬＥＤコンポーネントの実施形態の概略図を示す。
【図２】本発明による支持フレームの第１の実施形態の概略図を示す。
【図３】本発明によるＬＥＤコンポーネント及び本発明による支持フレームの例示的な組み合わせの概略図を示す。
【図４】本発明による支持フレームの第２の実施形態の概略図を示す。
【図５】本発明による発光システムの概略的配置図を示す。
【図６】本発明によるＬＥＤコンポーネント及び本発明による支持フレームのもう１つの例示的な組み合わせの実施形態の概略図を示す。
【発明を実施するための形態】
【００４２】
図１は、本発明によるＬＥＤコンポーネント１００の実施形態の概略図を示す。ＬＥＤ
コンポーネント１００は、発光領域１２０を持つベースボディ１１０、第１のコネクタ１
３０、及び第２のコネクタ１４０を有し、コネクタ１３０，１４０は、発光領域１２０と
導電可能に接続され、ベースボディ１１０は、４つの取り付け領域１１２を有し、コネク
タ１３０，１４０は、それぞれ、表面実装のために構成された、屈曲部１３４，１４４（
それぞれ２つの部分からなる）及び接触区域１３２，１４２を具備し、屈曲部１３４，１
４４はそれぞれ、ベースボディ１１０と接触区域１３２，１４２との間に配置される。
【００４３】
ベースボディ１１０は、四角い断面を具備する。取り付け領域１１２は、ベースボディ
１１０の表面の窪みにより、階段状に構成される。特に、周期的に構成された階段状の４
つの取り付け領域１１２は、ベースボディ１１０の外側端部を有する発光領域１２０の八
角形の縁を構成する。発光領域１２０の八角形の一定の縁が示され、階段状の取り付け領
域１１２の最大広さの長さは、各場合のベースボディ１１０の隣接する周辺区域の長さに
対応する。
【００４４】
図２は、本発明による支持フレーム２００の第１の実施形態の概略図を示す。支持フレ
ーム２００は、特に、図１に記載した実施形態に従う本発明によるＬＥＤコンポーネント
１００を受け入れるよう構成され、支持フレーム２００を表面にそろえるよう構成された
台座領域２１０と、支持フレーム２００中のコンポーネントを受け入れるよう構成された
支持領域２２０と、ベースボディ１１０の取り付け領域１１２の領域中の支持領域２２０
の上に前記コンポーネントを取り付けるよう構成された４つの固定エレメント２３０を有
し、台座領域２１０のベース区域と支持領域２２０のベース区域とは、鋭角を成し、台座
領域２１０は、外側に開放された窪み２１２を具備する。
【００４５】
固定エレメント２３０は、自己保持型加圧クランピングの形でクランプエレメントとし
て構成される。固定エレメント２３０は、支持領域２２０の上に支持フレーム２００の支
持領域２２０を少なくとも部分的に有する側方面取り部２３２を具備する。面取り部２３
２は、図１で説明した実施の形態による発明によるＬＥＤコンポーネント１００の発光領
域１２０の八角形のへりで、４つの周期的に階段状になった取り付け領域１１２に合致す
る部分を形成する。面取り部２３２は、本発明によるＬＥＤコンポーネント１００を図示
の保持フレーム２００に挿入するようなときの手引きと位置合わせの補助を行うことがで
き、特にクランプエレメントを嵌合させるために特に優先的な方向を定めることができる
。
【００４６】
図３は、本発明によるＬＥＤコンポーネント１００及び本発明による支持フレーム２０
０の例示的な組み合わせの概略図を示す。特に、図１による実施形態に合致した発明によ
るＬＥＤコンポーネント１００と、図２による実施形態に合致した発明による支持フレー
ム２００との組み合わせが示されている。個々のコンポーネントは、対応する図に示した
表現に対応し、従って、参照番号及びその割り当てはそれに応じて適用される。加えて、
固定エレメント２３０を有するＬＥＤコンポーネント１００の発光領域１２０の八角形の
へりが側方面取り部２３２とどのように相互作用を行うかが、図３から推測することがで
きる。ＬＥＤコンポーネントの屈曲部１３４，１４４により、対応する接触区域１３２，
１４２が支持フレームの台座領域２１０の外側に開放された窪み２１２の中に完全に収ま
ることができるように、それぞれのコネクタ１３０，１４０を曲げることができる。
【００４７】
図４は、本発明による支持フレーム２００の第２の実施形態の概略図を示す。図示した
ものは、図２で示したものの最も可能性のある範囲に対応し、参照番号及びその割り当て
はそれに応じて適用される。図２とは対照的に、図示した支持フレームは、修正した形状
を具備する。図示した側面図から、台座領域２１０のベース区域と支持領域２２０のベー
ス区域とは鋭角（図では約３０°）をなすことが見て取れる。
【００４８】
好ましい実施形態における支持フレーム２００の台座領域２１０のベース区域の大きさ
は約３．８×３．８ｍｍで、高さは約３ｍｍである。支持フレーム２００の台座領域２１
０のベース区域の大きさは１０ｍｍ×１０ｍｍ未満が好ましく、５ｍｍ×５ｍｍ未満がよ
り好ましい。その高さは１０ｍｍ未満が好ましく、５ｍｍ未満がより好ましい。
【００４９】
図５は、本発明による発光システムの概略的配置図を示す。本発明によるシステムは、
本発明によるＬＥＤコンポーネント１００と、支持フレーム２００と、回路キャリア３０
０とを有し、前記ＬＥＤコンポーネント１００のベースボディ１１０は、前記支持フレー
ム２００の支持領域２２０に設置され、前記ＬＥＤコンポーネント１００のベースボディ
１１０は、取り付け領域１１２の領域内の前記支持領域２２０の上に取り付けられ、前記
ＬＥＤコンポーネント１００のコネクタ１３０，１４０は、前記支持フレーム２００の台
座領域２１０内の窪み２１２に少なくとも部分的に配置され、そして、前記ＬＥＤコンポ
ーネント１００及び前記支持フレーム２００は、前記回路キャリア３００上に配置される
。
【００５０】
加えて、図５に示した前記回路キャリア３００上の発光システムは、複数のＬＥＤコン
ポーネント１００と支持フレーム２００とを具備し、前記ＬＥＤコンポーネント１００は
前記回路キャリア３００に異なる配列で異なる３Ｄ位置に設置され、台座領域２１０のベ
ース区域と個々の支持フレーム２００の支持領域２２０のベース区域とは、異なる角度α
を成す。
【００５１】
図６は、本発明によるＬＥＤコンポーネント１００及び本発明による支持フレーム２０
０のもう１つの例示的な組み合わせの実施形態の概略図を示す。図示したものは、図３で
示したものの最も可能性のある範囲に対応し、参照番号及びその割り当てはそれに応じて
適用される。しかしながら、図３とは対照的に、図示した支持フレーム２００は、代替的
な形状を具備する。特に、図示した支持フレーム２００は、２つの相違する構成となる固
定エレメント２３０，２３０’を具備する。第１の固定エレメント２３０は、細長い形状
で構成された加圧クランピングであり、この加圧クランピングは、支持フレーム２００の
上端部で本発明によるＬＥＤコンポーネント１００をクランプして固定する。第２の固定
エレメント２３０’は、一方、堅固な台として構成され、ＬＥＤコンポーネント１００の
取り付け領域１１２をそこに挿入することができる。この場合、クランピングを行うこと
ができるがこの例では加圧クランピングではない。
【００５２】
示されたＬＥＤコンポーネント１００は、八角形のへりをもつ発光領域１２０（ポジシ
ョンマークのみで描かれている）を示す。このへりの内側において、ＬＥＤコンポーネン
ト１００が反射体として構成された放射領域を具備することが好ましい。この放射領域は
、図示したように、ＬＥＤコンポーネント１００の対応する表面区域に対して窪んだ形状
で構成することができる。この放射領域は、鏡が付いていて、前記発光領域１２０から分
散して放射された光が共通のビーム方向に集中するよう構成されることが好ましい。発光
領域１２０は、図６に明示的には示されていない。むしろ、発光領域１２０を構成するＬ
ＥＤチップを取り付けるための開放された受け入れ領域が、内部構成１２０を説明するた
めにこの位置に描かれている。ＬＥＤコンポーネント１００の２つのコネクタ１３０，１
４０により、前記受け入れ領域まで電気的導電性が導かれるので、ＬＥＤチップへの、ま
たそれによる発光領域１２０への直接的な電気接続が可能となる。発光領域１２０は、放
射領域の中心又は発光領域１２０の八角形のへりの内側の中心に配置するのが好ましい。
本発明によるＬＥＤコンポーネント１００のＬＥＤチップは交換可能なことが好ましい。
【符号の説明】
【００５３】
１００    ＬＥＤコンポーネント
１１０    ベースボディ
１１２    取り付け領域
１２０    発光領域
１３０    第１のコネクタ
１３２    接触区域（第１のコネクタ）
１３４    屈曲部（第１のコネクタ）
１４０    第２のコネクタ
１４２    接触区域（第２のコネクタ）
１４４    屈曲部（第２のコネクタ）
２００    支持フレーム
２１０    台座領域
２１２    窪み
２２０    支持領域
２３０，２３０’    固定エレメント
２３２    側方面取り部
３００    回路キャリア
α    角度
【図１】
2020064872.tif 000003
【図２】
2020064872.tif 000004
【図３】
2020064872.tif 000005
【図４】
2020064872.tif 000006
【図５】
2020064872.tif 000007
【図６】
2020064872.tif 000008